(57)【要約】【課題】植物の持つ予防，殺菌，防腐などの同化作用（還元作用）の利用。【解決手段】常温において定形を保った粉末保形材料の凝固体と、凝固体の中で粉末保形材料と均一に混合された植物粉末とを含む植物粉末組成物。常温において定形を保った粉末保形材料のシート状凝固体と、該凝固体の中で前記粉末保形材料と均一に混合された植物粉末と、前記シート体の一方側面に沿って取り付けられた第１導電性金属板と、前記シート体の他方側面に沿って取り付けられた第２導電性金属板と、前記全体を覆った保護シートとを含み、該保護シートの背向する２つの端面には通気孔が設けられた植物粉末組成物。【選択図】　　　　図５
2004043460.tif 000002
【特許請求の範囲】
【請求項１】
常温において定形を保った粉末保形材料の凝固体と、該凝固体の中で前記粉末保形材料と均一に混合された植物粉末とを含むことを特徴とする植物粉末組成物。
【請求項２】
前記凝固体はシート状を呈した請求項１記載の植物粉末組成物。
【請求項３】
前記凝固体はブロック状を呈した請求項１記載の植物粉末組成物。
【請求項４】
前記凝固体は粒状を呈した請求項１記載の植物粉末組成物。
【請求項５】
常温において定形を保った粉末保形材料のシート状凝固体と、該凝固体の中で前記粉末保形材料と均一に混合された植物粉末と、前記シート体の一方側面に沿って取り付けられた第１導電性金属板とを含むこと特徴とする植物粉末組成物。
【請求項６】
常温において定形を保った粉末保形材料のシート状凝固体と、該凝固体の中で前記粉末保形材料と均一に混合された植物粉末と、前記シート体の一方側面に沿って取り付けられた第１導電性金属板と、前記シート体の他方側面に沿って取り付けられた第２導電性金属板とを含むことを特徴とする植物粉末組成物。
【請求項７】
常温において定形を保った粉末保形材料のシート状凝固体と、該凝固体の中で前記粉末保形材料と均一に混合された植物粉末と、前記シート体の一方側面に沿って取り付けられた第１導電性金属板と、前記シート体の他方側面に沿って取り付けられた第２導電性金属板と、前記全体を覆った保護シートとを含み、該保護シートの背向する２つの端面には通気孔が設けられた植物粉末組成物。
【請求項８】
前記凝固体は食品添加物からなることを特徴とする前記いずれか１の請求項記載の植物粉末組成物。
【請求項９】
前記植物粉末の植物は、ジャーマンカモミール，ミントおよびローレルを含むことを特徴とする前記いずれか１の請求項記載の植物粉末組成物。
【請求項１０】
前記植物粉末の植物は、ベリーブス，ラベンダー，セイジおよびオーデコロンミントを含むことを特徴とする前記いずれか１の請求項記載の植物粉末組成物。
【請求項１１】
前記植物粉末の植物は、ミント，カルダモン，スィートマジョラムおよびレモンバームを含むことを特徴とする前記いずれか１の請求項記載の植物粉末組成物。
【請求項１２】
前記植物粉末の植物は、カモミール，レッドセージ，シナモンおよびタイムを含むことを特徴とする前記いずれか１の請求項記載の植物粉末組成物。
【請求項１３】
前記植物粉末の植物は、クローブ，シナモン，ペパーミントおよびキャラウェイを含むことを特徴とする前記いずれか１の請求項記載の植物粉末組成物。
【請求項１４】
前記植物粉末の植物は、カモミールおよびセージを含むことを特徴とする前記いずれか１の請求項記載の植物粉末組成物。
【請求項１５】
前記粉末保形材料は、ペクチンとＰＯガムからなる前記いずれか１の請求項記載の植物粉末組成物。
【請求項１６】
前記粉末保形材料は、天然樹脂，デンプン，ゼラチンおよび寒天の群から選ばれた１または複数からなる前記いずれか１の請求項記載の植物粉末組成物。
【請求項１７】
前記粉末保形材料は、エチレングリコール，和ニスから選ばれた１または２からなる前記いずれか１の請求項記載の植物粉末組成物。
【請求項１８】
前記粉末保形材料は、セラミック材料，高分子材料および貝殻からなる前記いずれか１の請求項記載の植物粉末組成物。
【請求項１９】
前記粉末保形材料は、ハーブ灰と糊剤とからなる前記いずれか１の請求項記載の植物粉末組成物。
【発明の詳細な説明】
【０００１】
【発明の属する技術分野】本発明は、植物粉末組成物に関する。
【０００２】
【発明が解決しようとする課題】本発明は、植物の持つ予防，殺菌，防腐などの同化作用（還元作用）の利用を目的とする。本発明によって、日常、身近に存在する電子機器類などから生じる電磁波の遮断，浄水効果，芳香発生による空気環境改善および工業用自然集成材（農業用，代替陶器，代替ガラス，住宅日用品用原料など）が得られるのである。
【０００３】
【課題を解決するための手段】本発明の植物粉末組成物は、常温において定形を保った粉末保形材料の凝固体と、該凝固体の中で前記粉末保形材料と均一に混合された植物粉末とを含むことである。そして、成分混合割合に関し、植物粉末は、重量％で５０〜９０が適当であり、更に、７０〜９０がより適当，また８５〜９０が最も適当である。残部が粉末保形材料である。
【０００４】
そして、例えば次のような工程で製造される。即ち、前記粉末保形材料と植物粉末をミキサーで均質に混合し、次いで、このスラリー状のものをロール圧延式のシート製造機に投入して、シート状体とし、それをベルトコンベア上に送る。そして、ベルトコンベアの途中に設置されたカッターで規定寸法に切断する。次いで、これらの切断したものを金網パレットに重ならないように並べ、次いで、乾燥室に入れ、そこでバーナ燃焼による燃風を導入して、瞬間的に乾燥させる。このように得られた植物粉末組成物は、シート状，ブロック状，フレーク状，粒状，粉末などの形で使用される。更に、練状，液体の状態で利用される。
【０００５】
ここで、前記植物粉末として、次のようなものの１または２以上の組合が使用される。
◎ハーブ系（芳香性あり）　ジャーマンカモミール，ミント，ローレル，ローズマリー，ベリーブス，ラベンダー，セイジ，オーデコロンミント，ミント，カルダモン，スィートマジョラム，レモンバーム，カモミール，レッドセージ，シナモン，タイム，クローブ，ペパーミント，キャラウェイ等
◎樹木系…ケヤキ，クリ，柿，梅，楠，桧，杉，松等のカンナ屑，ノコギリ屑等
◎植物の実…イチョウ，トチ，栗の皮，ギンナン，コーヒー豆等
◎野菜…葉類，ニンジン，タマネギ，いも類，豆類，セロリ等
◎雑草系…ヨモギ，その他の雑草等
◎穀物系…米ワラ，麦ワラ，コーンスターチ，各種澱粉，絞油後米ぬか等
◎藻類…ヒジキ，寒天等。
【０００６】
ここで、植物は交信，察知能力など、次のような多様な能力がある。即ち、葉は、音感機能，電感機能と微少電流，気象予知機能，異物感知機能，温度感知機能，伝達機能（フラノボイド誘電体），光合成機能，炭酸ガス吸収能力と酸素排出能力，宇宙線転換能力などを持つ。茎は、電気交流機能，探知伝達機能，栄養伝達能力，不純物転換能力，樹脂皮質合成能力，運搬能力などを持つ。根は、酸素排出能力，地下エネルギー吸収能力，不適応除去機能，土壌改良能力，遺伝繁殖能力，木神経増殖能力などを持つ。また、植物はすべて電流を好み、宇宙線まで感知能力がある。本発明は、これらの植物の性質，効能を利用するものである。
【０００７】
また、粉末保形材料として次のようなものの１または２以上の組合が使用される。
◎食品群では、（イ）食品添加物系　（１）防腐剤（ソルビット等）、（２）ゲル化剤（ペクチン，カラーギーナン等）、（３）安定剤（ペクチン，カラーギーナン，ＰＯガム＝天然ゴム成分，イソプレン《オルガノ株式会社（東京）の商品名》等）、（４）膨張剤（オルノＸ１《オルガノ株式会社（東京）の商品名》等）、（５）増粘剤（寒天，ゼラチン等）。（ロ）海洋植物系（寒天カニ甲羅など，ワカメ，テングサ，アオサ，アマノリ等）。（ハ）陸上植物系（油脂類の絞りカス，コーンスターチ，コンニャク玉，大豆蛋白粉，粒状油脂類，デンプン類等）
◎非食品では、（イ）増量剤　（１）セラミックス材料（カーボンブラック，軽石，石英，シリカゲル等）、（２）高分子材料（合成樹脂，発泡スチロール，ゴム《古タイヤの再利用》等）、（３）貝殻，スポンジ、（４）紙類（厚紙，硬質紙，牛乳パック等を溶解し、乾燥して粉末状としたもの）、（５）ハーブ灰（ハーブ類を焼却した灰）。（ロ）糊剤　水溶性アクリル樹脂（合成のり類），和ニス（耐水性），エチレングリコール（合成のり），塩化ビニール樹脂，酢酸ビニール樹脂，油脂性ウレタン樹脂などの合成樹脂，天然樹脂（松脂等）等。
【０００８】
ここで、粉末保形材料を食品添加物系で構成した場合、その種類と互いの混合割合は、例えば、ペクチン１５〜２０重量％，ＰＯガム（ガムの原料）２０〜３０％，オルノＸ１は１０〜２０％，カラーギーナン５〜１０％，ソルビット（防腐剤）１０〜２０％（％は重量％）である。また、ペクチンとＰＯガムだけの混合物でもよい。
【０００９】
粉末保形材料の他の組合の例は次のとおりである。（１）天然樹脂，デンプン，ゼラチンおよび寒天の群から選ばれた１または複数からなるもの。（２）エチレングリコール，和ニスから選ばれた１または２からなるもの。（３）セラミック材料，高分子材料および貝殻からなるもの。（４）ハーブ灰と糊剤とからなるもの。
【００１０】
さてここで、シート状としたものは、更に次のように応用される。（１）常温において定形を保った粉末保形材料のシート状凝固体と、該凝固体の中で前記粉末保形材料と均一に混合された植物粉末と、前記シート体の一方側面に沿って取り付けられた第１導電性金属板とを含む電磁波防御板。（２）常温において定形を保った粉末保形材料のシート状凝固体と、該凝固体の中で前記粉末保形材料と均一に混合された植物粉末と、前記シート体の一方側面に沿って取り付けられた第１導電性金属板と、前記シート体の他方側面に沿って取り付けられた第２導電性金属板とを含む電磁波防御板。（３）常温において定形を保った粉末保形材料のシート状凝固体と、該凝固体の中で前記粉末保形材料と均一に混合された植物粉末と、前記シート体の一方側面に沿って取り付けられた第１導電性金属板と、前記シート体の他方側面に沿って取り付けられた第２導電性金属板と、前記全体を覆った保護シートとを含み、該保護シートの背向する２つの端面には通気孔が設けられた電磁波防御板。（４）前記シート体には空洞が設けられた電磁波防御板。（５）前記凝固体は食品添加物からなる電磁波防御板。
【００１１】
そして、前記導電性金属板として次のようなものが使用される。鉄鋼材料（ステンレス鋼等），銅およびその合金，アルミニウムおよびその合金，ニッケル合金，鉛とその合金，亜鉛とその合金，錫とその合金。
【００１２】
本発明製品を、例えば、第１導電性金属板として銅板，第２導電性金属板としてアルミニウム板を使用し、全体として矩形板状としたものを、上着の胸ポケットに、銅板を人体側にして入れて使用する場合には、次のような効果がある。即ち、パソコン、ワープロ等から出る余剰電磁波は銅板、アルミ板に吸い寄せられ、シート自体の導電性層の中に吸い寄せられる。これは、植物の葉そのものに電磁波を吸収する性質があるからである。
【００１３】
また、銅板とアルミニウム板とで囲まれた空胴内でローレンスカが働き、磁場が強くなり（ジョセフィン効果）、発熱し（低温帯電）、この温度上昇により、シート内の無数の気孔内の空気が加熱され、対流により上方へ流れ（マイスナー効果）、上面に設けた上通気孔から流出する。このとき、ハーブの香りと共に流出するので、人体に好影響を与える。新しい空気は下面に設けた下通気孔からシート層内に進入する。
【００１４】
このように、銅板とアルミニウム板を使用した場合、シートの植物粉末自体がマイナス電価であるから、下からの（＋）イオン空気が、シート内で（−）イオンに変換され、上部より酸素と共に（−）イオンを排出する。これが沈静作用（フィトンチットに類似した作用）を与える。また、シート内で（＋）イオンと（−）イオンが衝突，拡散され、空胴に集まり、密度が上る（ローレンス原理）。
【００１５】
このように、各種植物の粉と、それをとりまく有機，無機系材料により、特に、有害紫外線（ＵＶＢ），人体に影響の高い低マイクロ波を減少またはカットし、また、電子機器の誤作動を減少させ、または防止する。更に、葉体内セレニュウムによる酸素供給量の増大と、その相乗効果による芳香，抗菌，浄化作用、天然素材と無機系金属との相乗効果によるマイナス電荷からプラス電荷への変換などが期待できる。
【００１６】
ここで、ジャーマンカモミール，ミント，ローレルと食品添加物の混合物のものは、男性用に適している。これらのハーブは別名植物の医者とも言われ、タバコの臭気をも消す能力があり、総合効力として、芳香にて血圧降下，精神鎮静，ストレス解消，風邪ウィールスを退去，のぼせ，ほてりの解消などの効果がある。特にローレル，ミントの上品でキリットした香りは、目を守り疲れを取り、肉体のリフレッシュを促し活力を出させる。森林散歩中のような体感を与え、防虫効果も良い。オフィス執務者には酸素供給で能率向上寄与する。
【００１７】
ベリーブス，ラベンダー，セイジ，オーデコロンミントと食品添加物のものは、女性用に適している。カモミールは万能効用があり、ラベンダーは精神安定，ストレス不眠や疲労回復，虫よけ，体臭消去，ヒステリ鎮静効果があり、美肌，美容に良く、またその芳香には不老長寿，強壮効果がある。ラベンダーを加えると香水性を増す。セイジ，ローズマリは自律神経回復，疲労回復で美容にも良い。また、オフィス、家庭などの環境を改善する。
【００１８】
ミント，カルダモン，スィートマジョラム，レモンバームと食品添加物は学生用に適している。メラニン色素の排除の効果があり、特にカルダモンは上品で甘い風味があり特に気分を引き締め、疲労回復やリフレッシュ効果がある。全体の芳香はまろやかな気品のある香りで、レモンバームは柑橘類のフレッシュな香りがする。
【００１９】
カモミール，レッドセージ，シナモン，タイムと食品添加物は幼児用に適している。殺菌，脱臭，血行改善，特にレッドセージのすがすがしい香りは健康飲料に使用される程である。芳香は腎臓によく、母乳の出方がよくなり、幼児の食欲刺激となり消化不良を助ける効果がある。消臭，殺菌（チモール），防腐の効果もある。
【００２０】
クローブ，シナモン，ペパーミント，キャラウェイと食品添加物は高齢者用に適している。高齢者の美容，美肌によく、葉中のセレニュームより酸素が排出され、爽やかさと食欲増進の風味があり、防菌，殺菌，風邪など伝染性疾患に効果があり、ストレス解消に役立つ。キャラウェイなどは食欲増進に資する。全体芳香としては、爽やかで少しニッキの香りを与え、消化不良を助け、全体として少し甘みのある芳香である。
【００２１】
また、前記のような本発明のシート体を細かく砕いて、フレーク状または粒子状としたものを、汚れた水の中に投入すると、水が浄化される。これも、植物が持つ浄化能力があるためである。カモミール，セージと食品添加物のもので、球状、偏平円状に成形したものを湖，ため池，河川，汚染海域などの浄水作業に使う。これらは軽量で携帯し易く、浄水することにより魚貝類など成育比率を上げ、環境改善の一役を果たせる効果がある。経済的で何人も簡単に使用できる。
【００２２】
更に、カモミール，セージと食品添加物のフレーク状，粒子状ものは、農業用に適している。カモミール，セージは万能草で薬草として、広く世界で食文化として使用されており、これらの相乗効果を利用して散布すれば、酸性雨の浄化や残留農薬の中和，防虫などの効果を発揮させる。また、自然有機肥料として土壌改良剤に使用し、芳香により受粉作用を促し、食料増産に貢献できる。また、森林に散布すれば、樹木を繁茂させる。
【００２３】
このタブレット錠剤は農作物の生育助成剤として、収穫の増量が期待される。尚、徐々に溶解して長期の効果を得るには、緩効剤として天然樹脂（例えば、松脂），澱粉などで被覆を施せばよい。
【００２４】
またレジャー産業分野、特にゴルフ場のフェヤーウェイ，グリーン帯，バーニーロードなどの自然環境を改善させるための植物育成剤，防虫剤として使用できる。
【００２５】
更に、本発明のシート体は、陶器（例えば、本発明シート体でカップなどの容器が作られる）やガラス，人工皮革などの代替素材として応用でき、その他住宅日用品用の原料として応用できる。
【００２６】
アルミニウムは焼却しても炭酸ガスの排出がなくリサイクルが可能である。アルミニウム，銅は電磁波誘電性，通電性に優れ、耐熱効果があり、酸素排出能力を増大させる。
【００２７】
シリカゲルの粉を、例えば約０．５〜１重量％混入すれば、（−）イオンが増加し、酸素排出量を増大させると共に、形状記憶素子として、通電性の増強に供する能力がある。また、光合成が行われないときにも、酸素排出機能を発揮する。前記混合割合より多くなると、製品がもろくなり問題が生じる。粉炭（マイナス帯電）を１〜３重量％混入すれば、その導電性により、組成物の前記各種の性能、能力が向上する。また、石英の粉末を約１重量％混入すれば、その優れた耐熱性と感光性により集光屈折力を利用し、組成物シート内の光合成を促進させ、能力を倍増させる。
【００２８】
本発明の組成物は、浄水，抗菌抗酸，保存復修，防腐，防虫，バイオマス変換，膨張，灰濾過剤などに使用されるほか、防災緊急携帯食品および産業用汎用素材，添加物，医療治療強化剤にも利用できる。
【００２９】
このように本発明による製品は主原料を植物粉末，特にハーブ系粉末とする多目的商品、多機能商品を提供する。
【００３０】
【発明の実施の形態】以下に本発明の実施態様を図面に示す一実施例にもとづき説明する。図１〜５に示すように、常温において定形を保った粉末保形材料のシート状凝固体３と、該凝固体の中で前記粉末保形材料と均一に混合された植物粉末と、前記シート体の一方側面に沿って取り付けられた銅板からなる第１導電性金属板１と、前記シート体の他方側面に沿って取り付けられたアルミニウム板からなる第２導電性金属板２と、前記全体を覆ったアルミニウム箔からなる保護シート４とからなる。該保護シート４の背向する２つの端面には上、下通気孔４ａ，４ｂが設けられる。また、前記シート体３には空胴３ａが設けられる。
【００３１】
ここで、粉末保形材料として、ペクチン１４ｇ，ＰＯガム１４．５ｇ，オルノＸ１（膨張剤）０．５ｇ，カラーギーナン（ゲル化剤）０．５ｇ，ソルビット０．５ｇが使用される。これらは食品添加物として用いられるもので、常温で液体である。また、植物粉末として、ハーブ系であるジャーマンカモミール，ミントおよびローレルの葉を乾燥したものの粉末が３０ｇ用いられる。そして、この混合組成物の全体重量は６０ｇである。
【００３２】
そして、次のような工程で製造される。即ち、前記粉末保形材料と植物粉末をミキサーで均質に混合し、次いで、このスラリー状のものをロール圧延式のシート製造機に投入して、シート状体とし、それをベルトコンベア上に送る。そして、ベルトコンベアの途中に設置されたカッターで規定寸法に切断する。次いで、これらの切断したものを金網パレットに重ならないように並べ、次いで、乾燥室に入れ、そこでバーナ燃焼による燃風を導入して、瞬間的に乾燥させる。次に、これらの乾燥したものを、銅板１とアルミニウム板２で挟み、この全体をアルミニウム箔からなる包装シート４で包む。ここで、アルミニウム箔には、予め通気孔４ａ，４ｂが設けられている。
【００３３】
本発明製品を、例えば、上着の胸ポケットに、銅板を人体側にして、入れて使用する場合には、次のような効果がある。即ち、パソコン，ワープロ等から出る電磁波は銅板，アルミニウム板に吸い寄せられ、植物粉末組成物層の中に吸い寄せられる。これは、植物の葉そのものに電磁波を吸収する性質があるからである。また、銅板とアルミニウム板とで囲まれた空胴３ａ内で、磁場が強くなり、発熱し（低温帯電）、この温度上昇により、植物粉末層内の無数の気孔内の空気が加熱され、対流により上方へ流れ、上通気孔４ａから流出する。このとき、ハーブの香りと共に流出するので、人体に好影響を与える。新しい空気は下通気孔４ｂから植物粉末層内に進入する。
【００３４】
この実施例の組成物は適度の伸縮性を持ち、腐敗に対し長期に耐え、通気性を持ちつつ、長期にわたり芳香と酸素を排出する。また、能力再生方法として、前記通気孔４ａ，４ｂより、好みのエッセンシャルオイルや他の香水などを注入すれば、１〜５年耐用年数が増大する。
【００３５】
また、前記のような本発明のシート体を細かく砕いて、フレーク状または、粒子状としたものを、汚れた水の中に投入すると、水が浄化される。これも、植物の葉が持つ浄化能力があるためである。
【００３６】
（実施例１）外形寸法は縦８．５ｃｍ，横５．５ｃｍ，厚さ６ｍｍであり、前記実施例の植物粉末と食品添加物の混合組成物シートを用い、アルミニウム板（厚さ０．１ｍｍ），純銅板（厚さ０．１ｍｍ），全包装アルミホイル、シート体の中心部に直径１．５ｃｍの空胴を持ち、１枚重量５０ｇである。これにより静電気，有害紫外線，電磁波防止の効果があった。
【００３７】
（実施例２）乾燥後の重量６０ｇ，銅板１ｍｍ厚，アルミニウム板１ｍｍ厚。粉末組成物は、各種粉炭１０〜２０ｇ（分量増えれば能力大），ハーブ類３０ｇ，酢酸２．５ｇ，ソルビット（防腐剤）２．５ｇ，水（ハーブ粉末混合組成物の小球を入れたもの）０．５リットルおよびペクチン１５ｇを混合したもの。
【００３８】
（実施例３）図６〜８のように、厚さ３ｍｍ，直径３ｃｍ，重さ１ｇの円盤形植物粉末組成物３１であり、スターマーク空胴３１ａを設けてある。これを池などに投入すれば、浄水効果がある。農場や森林に撒けば植物生育促進効果がある。また、ペット用消臭剤にも有効である。
【００３９】
ここで、浄水実験データを表１に示す。容器に２リットルの水道水を入れ、それに実施例１で示したシート状のものを直径１ｃｍの球状にした組成物（直径１０ｍｍ）を投入した。そして、水の透明度を平成８年６月１５日から平成９年６月１５日までの１年間にわたり調べたものである。水温は室内の常温である。組成物を初日に５個入れ、１ケ月後には膨張したマリモ状となり、平成９年３月１５日に溶解したので、２個追加した。
【００４０】
【表１】
2004043460.tif 000003
【００４１】
本発明の球を入れない水道水は、実験を開始して、１週間位で透明度が劣化した。しかし、本発明組成物を入れた水は９ケ月にわたり透明度は変わらず、平成９年３月１５日にやや濁り、その状態を保った。ビニール製水中花を水中に入れて、そこに付着するコケの発生状況を観察した結果、９ケ月後に少し発生したが、その１ケ月後には消滅していた。また同時に、水中に金魚（体長約３ｃｍの和金）を入れ、その生育状況を観察したが、健康状態を保ったままである。
【００４２】
また、植物蘇生実験データーを表２に示す。容器に２．５リットルの水道水を入れたものと、容器に２．５リットルの水道水を入れ、それに実施例１のハーブ組成物球（直径５ｍｍ）を２個入れたものを比較した。そして、これらの水中に各々、開花した直径約５ｃｍのバラの花およびつぼみを持ち、枝約１５ｃｍのものを入れた。水道水だけのものは、４日後にしおれてしまった。これに対し、ハーブ球入りのものでは、当初は花が失落状態であったが、２日後に完全蘇生した。また、４日後につぼみが少し開き、その３日後に開花した。そのままの状態を維持したままである。また、水道水の透明度は、水道水のみでは５日後に少し濁り、９日後から濁ったままである。これに対しハーブ球入りのものでは、透明度は変わらなかった。
【００４３】
【表２】
2004043460.tif 000004
【００４４】
本発明は前記した実施例や実施態様に限定されず、特許請求の精神および範囲を逸脱せずに種々の変形を含む。
【００４５】
【発明の効果】本発明によって、日常、身近に存在する電子機器類などから生じる電磁波の遮断，浄水効果，芳香発生による空気環境改善および工業用自然集成材（農業用，代替陶器，代替ガラス，住宅日用品用原料など）が得られるのである。
【図面の簡単な説明】
【図１】本発明の一実施例の平面図である。
【図２】本発明の一実施例の正面図である。
【図３】本発明の一実施例の底面図である。
【図４】本発明の一実施例の右側面図である。
【図５】図２のＡ−Ａ断面図である。
【図６】他の実施例の平面図である。
【図７】他の実施例の正面図である。
【図８】図６のＢ−Ｂ断面図である。
【符号の説明】
１　第１導電性金属板
２　第２伝導性金属板
３　シート状凝固体
３ａ　空胴
３１　円盤形植物粉末組成物
３１ａ　スターマーク空胴
４　保護シート
４ａ　上通気孔
４ｂ　下通気孔
【図１】
2004043460.tif 000005
【図２】
2004043460.tif 000006
【図３】
2004043460.tif 000007
【図４】
2004043460.tif 000008
【図５】
2004043460.tif 000009
【図６】
2004043460.tif 000010
【図７】
2004043460.tif 000011
【図８】
2004043460.tif 000012